(57)【要約】  ユーザにメディアを推薦するための方法及びシステムが提供される。本方法は、表示スクリーンにおいて、複数の評価選択肢を、ユーザに、その中から選択するように提供すること(410)を含む。複数の評価選択肢の各々は、ユーザにより評価される少なくとも2つの関連付けられたメディアアイテム間の個々のグルーピングに対応する。本方法は、更に、複数の評価選択肢のうちユーザが選択したものに対応する少なくとも2つの関連付けられたメディアアイテム間の個々のグルーピングに対する評価を受信すること(440)を含む。本方法は、評価に応じてユーザのメディアレコメンデーションを生成すること(450)も含む。本方法は、追加的に、表示スクリーンにおいてユーザに対してメディアレコメンデーションを提供すること(460)を含む。
2016524237.tif 000002
【特許請求の範囲】
【請求項１】
表示スクリーンにおいて、複数の評価選択肢を、ユーザに、その中から選択するように提供するステップであって、前記複数の評価選択肢の各々は、前記ユーザにより評価される少なくとも2つの関連付けられたメディアアイテム間の個々のグルーピングに対応する、ステップ；
前記複数の評価選択肢のうちユーザが選択したものに対応する前記少なくとも2つの関連付けられたメディアアイテム間の前記個々のグルーピングに対する評価を受信するステップ；
前記評価に応じて前記ユーザのメディアレコメンデーションを生成するステップ；及び
前記表示スクリーンにおいて前記ユーザに対して前記メディアレコメンデーションを提供するステップ；
を有する方法。
【請求項２】
前記グルーピングが、特定のメディアコンテンツに関連する少なくとも2人の人々の間におけるものであり、前記少なくとも2人の人々は前記特定のメディアコンテンツに関連付けられる、請求項1に記載の方法。
【請求項３】
前記少なくとも2人の人々は、俳優及び監督のうちの少なくとも何れかを含む、請求項2に記載の方法。
【請求項４】
前記グルーピングが、特定のメディアのジャンルと、人物又は国との間におけるものである、請求項1に記載の方法。
【請求項５】
前記グルーピングが、人物と特定の国に関連するメディアとの間におけるものである、請求項1に記載の方法。
【請求項６】
前記評価に応じてユーザプロファイルを生成するステップ；及び
前記ユーザプロファイルを用いて更なるメディアレコメンデーションを生成するステップ；
を更に有する請求項1に記載の方法。
【請求項７】
各自の増加する承認評価に応じて前記メディアレコメンデーションのウェイトが増加し、各自の減少する承認評価に関して前記メディアレコメンデーションのウェイトが減少するように、前記メディアレコメンデーションに対するウェイトを指定するステップを更に有する請求項1に記載の方法。
【請求項８】
表示スクリーンにおいて、複数の評価選択肢を、ユーザに、その中から選択するように提供する評価選択肢マネジャであって、前記複数の評価選択肢の各々は、前記ユーザにより評価される少なくとも2つの関連付けられたメディアアイテム間の個々のグルーピングに対応し、前記評価選択肢マネジャは、前記複数の評価選択肢のうちユーザが選択したものに対応する前記少なくとも2つの関連付けられたメディアアイテム間の前記個々のグルーピングに対する評価を受信する、評価選択肢マネジャ；及び
前記評価に応じて前記ユーザのメディアレコメンデーションを生成するメディアレコメンデーション生成部；
を有するシステム。
【請求項９】
前記グルーピングが、特定のメディアコンテンツに関連する少なくとも2人の人々の間におけるものであり、前記少なくとも2人の人々は前記特定のメディアコンテンツに関連付けられる、請求項8に記載のシステム。
【請求項１０】
前記少なくとも2人の人々は、俳優及び監督のうちの少なくとも何れかを含む、請求項9に記載のシステム。
【請求項１１】
前記グルーピングが、特定のメディアのジャンルと、人物又は国との間におけるものである、請求項8に記載のシステム。
【請求項１２】
前記グルーピングが、人物と特定の国に関連するメディアとの間におけるものである、請求項8に記載のシステム。
【請求項１３】
前記評価に応じてユーザプロファイルを生成するユーザプロファイルマネジャを更に有する請求項8に記載のシステム。
【請求項１４】
各自の増加する承認評価に応じて前記メディアレコメンデーションのウェイトが増加し、各自の減少する承認評価に関して前記メディアレコメンデーションのウェイトが減少するように、前記メディアレコメンデーション生成部が前記メディアレコメンデーションに対するウェイトを指定する、請求項8に記載のシステム。
【請求項１５】
方法を実行するために保存されるコンピュータ実行可能なコードを有する非一時的なコンピュータ読み取り可能な記憶媒体であって、前記方法は、
表示スクリーンにおいて、複数の評価選択肢を、ユーザに、その中から選択するように提供するステップであって、前記複数の評価選択肢の各々は、前記ユーザにより評価される少なくとも2つの関連付けられたメディアアイテム間の個々のグルーピングに対応する、ステップと、
前記複数の評価選択肢のうちユーザが選択したものに対応する前記少なくとも2つの関連付けられたメディアアイテム間の前記個々のグルーピングに対する評価を受信するステップと、
前記評価に応じて前記ユーザのメディアレコメンデーションを生成するステップと、
前記表示スクリーンにおいて前記ユーザに対して前記メディアレコメンデーションを提供するステップと、
を有する、記憶媒体。
【発明の詳細な説明】
【技術分野】
【０００１】
本願は一般にメディアに関連し、特に、ユーザにメディアを推薦するための方法及びシステムに関連する。
【背景技術】
【０００２】
一般にユーザが番組を評価する場合、一般に彼らは俳優や監督の仕事ぶりではなく、番組自体しか評価していない。
【０００３】
＜関連出願＞
本願は2013年6月10日付けで出願された米国仮出願第61/833,039号(代理人整理番号PU130080)による恩恵を享受し、その内容全体は本願のリファレンスに組み入れられる。
【発明の概要】
【０００４】
従来技術についてのこれら及び他の欠点及び短所は、ユーザにメディアを推薦する方法及びシステムに関連する本願の原理により対処される。
【０００５】
本願の原理の一側面によれば、方法が提供される。本方法は、表示スクリーンにおいて、複数の評価選択肢を、ユーザに、その中から選択するように提供するステップを含む。前記複数の評価選択肢の各々は、前記ユーザにより評価される少なくとも2つの関連付けられたメディアアイテム間の個々のグルーピングに対応する。本方法は、更に、前記複数の評価選択肢のうちユーザが選択したものに対応する前記少なくとも2つの関連付けられたメディアアイテム間の前記個々のグルーピングに対する評価を受信するステップを有する。本方法は、前記評価に応じて前記ユーザのメディアレコメンデーションを生成するステップも含む。本方法は、追加的に、前記表示スクリーンにおいて前記ユーザに対して前記メディアレコメンデーションを提供するステップを含む。
【０００６】
本願の原理の別の側面によれば、システムが提供される。本システムは、表示スクリーンにおいて、複数の評価選択肢を、ユーザに、その中から選択するように提供する評価選択肢マネジャを含む。前記複数の評価選択肢の各々は、前記ユーザにより評価される少なくとも2つの関連付けられたメディアアイテム間の個々のグルーピングに対応する。前記評価選択肢マネジャは、前記複数の評価選択肢のうちユーザが選択したものに対応する前記少なくとも2つの関連付けられたメディアアイテム間の前記個々のグルーピングに対する評価を受信する。本システムは、更に、前記評価に応じて前記ユーザのメディアレコメンデーションを生成するメディアレコメンデーション生成部を含む。
【０００７】
本願の原理の更に別の側面によれば、方法を実行するために保存されるコンピュータ実行可能なコードを有する非一時的なコンピュータ読み取り可能な記憶媒体が提供される。前記方法は、表示スクリーンにおいて、複数の評価選択肢を、ユーザに、その中から選択するように提供するステップを含む。前記複数の評価選択肢の各々は、前記ユーザにより評価される少なくとも2つの関連付けられたメディアアイテム間の個々のグルーピングに対応する。本方法は、更に、前記複数の評価選択肢のうちユーザが選択したものに対応する前記少なくとも2つの関連付けられたメディアアイテム間の前記個々のグルーピングに対する評価を受信するステップを含む。本方法は、前記評価に応じて前記ユーザのメディアレコメンデーションを生成するステップも含む。本方法は、追加的に、前記表示スクリーンにおいて前記ユーザに対して前記メディアレコメンデーションを提供するステップを含む。
【０００８】
本願の原理のこれら及び他の側面、特徴及び利点は、添付図面に関連して理解される実施例についての以下の詳細な説明から更に明らかになるであろう。
【図面の簡単な説明】
【０００９】
本願の原理は以下の図面により適切に理解される。
【図１】本願の原理が適用されるビデオコンテンツを配信するための本願の原理の一形態によるシステム例100を示す。
【図２】本願の原理が適用される本願の原理の一形態による処理システム例200を示す。
【図３】ユーザにメディアを推薦するための本願の原理の一形態によるシステム例300を示す。
【図４】ユーザにメディアを推薦するための本願の原理の一形態によるシステム例400を示す。
【図５】本願の原理の一形態による図4の方法400のうちのステップ450を詳細に示す。
【発明を実施するための形態】
【００１０】
本願の原理はユーザにメディアを推薦(又はレコメンド)する方法及びシステムを対象とする。様々なメディア(映画、テレビジョン番組などを含むが、これらに限定されない)においては、多くのアイテム(事項)が特定の関係を形成していることに、留意を要する。共分散(co-variance)は2つのアイテム間の「線形依存性(linear  dependence)」の尺度に関連することが知られているが、一実施形態においては、本願の原理は、メディア関連グルーピングの評価に基づいて、ユーザのためのメディアレコメンデーション(又はお勧め)を生成する際に共分散を考慮する。
【００１１】
一実施形態において、本願の原理は、俳優、映画ジャンル、ディレクタ等の具体的なペアリング(又は2人以上のメンバに関わるグルーピング)に関する評価(rating)を投稿する機能をユーザに提供する。一実施形態では、本願の原理は、映画又は演技者それ自体を評価することを超えて、グルーピングの評価を許容し、グルーピングの評価は、例えば、俳優が一緒にどのように演じているか、特定のディレクタによる指示の下で俳優がどのように動いているか等であるが、これらに限定されない。上記のグルーピングの具体例は単なる例示に過ぎず、本願の原理による教示に従って、以下の内容により示される任意のタイプのグルーピングが評価及び使用されることが可能である。一実施形態において、評価(又はレーティング)は、番組の示唆を生成するために使用されることが可能である。
【００１２】
本記述は本願の原理を説明する。本願に明示的には記述も図示もされていないが、当業者は、本願の原理を組み込みかつ本願の精神及び範囲に包含される様々な形態を構成し得ることが、認められるであろう。
【００１３】
本願で示される全ての具体例及び条件付きの言葉は、技術進歩を促すように発明者等が貢献した概念及び本願の原理を読者が理解することを促す教育的な目的で使用されており、そのように具体的に言及される具体例や条件に限定することなく、解釈されるべきである。
【００１４】
更に、本願の原理のうちの原理、形態及び実施例に加えてそれらの具体例を示す全ての記述は、構造的及び機能的な双方の均等物を包含するように意図される。更に、そのような均等物は現在既知の均等物及び将来的に発展する均等物の双方を含み、すなわち、構造によらず同じ機能を発揮するように開発される任意の要素を包含することが、意図される。
【００１５】
従って、例えば、本願で示されるブロック図は本願の原理を組み込む例示的な回路の概念図を表現することが、当業者によって認められるであろう。同様に、任意のフローチャート、フロー図、状態遷移図、擬似コード等は様々なプロセスを表現することが認められ、プロセスは、コンピュータ読み取り可能な媒体において実質的に表現されかつコンピュータ又はプロセッサにより実行されてもよく、そのようなコンピュータやプロセッサが明示的に示されているか否かによらない。
【００１６】
図面に示される様々な要素の機能は、専用のハードウェアだけでなく適切なソフトウェアに関連するソフトウェアを実行することが可能なハードウェアを利用することにより提供されてもよい。プロセッサにより提供される場合、その機能は、単独の専用プロセッサにより、単独の共有されるプロセッサにより、又は、一部が共有されてもよい複数の個々のプロセッサにより提供されてもよい。更に、「プロセッサ」又は「コントローラ」という用語を明示的に使用していることは、ソフトウェアを実行することが可能なハードウェアを排他的に指すように解釈されるべきではなく、例えば、ディジタル信号プロセッサ(DSP)ハードウェア、ソフトウェアを保存するリードオンリメモリ(ROM)、ランダムアクセスメモリ(RAM)及び不揮発性ストレージを黙示的に含んでもよいが、それらに限定されない。
【００１７】
他のハードウェア、従来例及び/又は慣用例が含まれていてもよい。同様に、図示される場合には任意のスイッチは概念的なものでしかない。それらの機能は、プログラム論理部の動作により、専用論理部により、プログラム制御及び専用論理部の相互作用により実行されてもよいし、或いは、マニュアルでさえ実行されてもよく、文脈から更に具体的に理解されるように、特定の技術が実施者により選択される。
【００１８】
本願の特許請求の範囲において、特定の機能を実行する手段として表現される何らかの要素は、例えば、a)機能を実行する回路要素の組み合わせ、又は、b)機能を実行するためにソフトウェアを実行する適切な回路と組み合わせられるファームウェアやマイクロコード等を含む任意の形態におけるソフトウェア、を含む機能を実行する任意の手段を包含するように意図される。特許請求の範囲により規定される本願の原理は、記載される様々な手段により提供される機能が、請求項が示す形式で組み合わせられかつ連係する点にある。これらの機能を提供することが可能な任意の手段は本願により示されるものと同等であると考えられる。
【００１９】
本願の原理についての「一実施形態」又は「実施形態」という本明細書における言及及びそれらに関連する言い回しは、一実施形態に関連して説明される或る特定の特徴、構造、属性などが、本願の原理による少なくとも1つの実施形態に含まれることを意味する。従って、本明細書を通じて様々な箇所で登場する「一実施形態」又は「実施形態」更には他の何らかの異なる言い回しは、必ずしも全て同じ実施形態を指すとは限らない。
【００２０】
例えば「A/B」、「A及び/又はB」及び「A及びBのうちの少なくとも何れか」の場合における「/」、「及び/又は」及び「少なくとも1つ」のような何れかの用法は、最初に列挙された選択肢のみの選択(A)、2番目に列挙された選択肢のみの選択(B)、又は、双方の選択肢の選択(A及びB)を含むように意図されることが認められるべきである。更なる例として、「A、B、及び/又はC」及び「A、B、及びCのうちの少なくとも何れか」の場合、そのような言い回しは、1番目に列挙された選択肢のみの選択(A)、2番目に列挙された選択肢のみの選択(B)、3番目に列挙された選択肢のみの選択(C)、1番目及び2番目に列挙された選択肢のみの選択(A及びB)、1番目及び3番目に列挙された選択肢のみの選択(A及びC)、2番目及び3番目に列挙された選択肢のみの選択(A及びB)、及び、3つ全ての選択肢の選択(A及びB及びC)を含むように意図される。これは、当該及び関連する技術分野における当業者にとって明らかであるように、さらに多くの項目が列挙される場合に同様に拡張されてよい。
【００２１】
先ず、ユーザに様々なタイプのコンテンツを配信するシステムが説明される。
【００２２】
図1は、本願の原理が適用されるビデオコンテンツを配信するための本願の原理の一形態によるシステム例100を示す。コンテンツは、映画スタジオ又はプロダクションハウスのようなコンテンツソース102から発する。コンテンツは2つの形態のうちの少なくとも何れかで供給されてよい。1つの形態は、コンテンツのブロードキャスト形態である。ブロードキャストコンテンツはブロードキャストアフィリエイトマネジャ104に提供され、ブロードキャストアフィリエイトマネジャ104は、典型的には、アメリカンブロードキャスティングカンパニー(ABC)やコロンビアブロードやスティングシステム(CBS)等のような国内の放送サービスである。ブロードキャストアフィリエイトマネジャは、コンテンツを収集及び保存し、配信ネットワーク1(106)のように示される配信ネットワークを介するコンテンツの配信をスケジューリングしてもよい。配信ネットワーク1(106)は、国内の局(センタ)から1つ以上の地域的又はローカルな局(センタ)への衛星リンク伝送を含んでもよい。配信ネットワーク1(106)は、オーバーザエア放送、衛星放送又はケーブル放送などを介するローカルな配信システムを用いるローカルなコンテンツ配信を含んでもよい。ローカルに配信されるコンテンツは、ユーザの家庭内のユーザのセットトップボックス/ディジタルビデオレコーダ(DVR)108に提供され、コンテンツはユーザによる以後の検索の結果の一部をなす。
【００２３】
コンテンツの第2形態は特定コンテンツ(specialized  content)として言及される。特定コンテンツは、プレミアム視聴、ペイパービュー、又は、ブロードキャストアフィリエイトマネジャには提供されないその他のコンテンツとして配信されるコンテンツを含んでもよい。多くの場合、特定コンテンツは、ユーザにより要求されるコンテンツであってもよい。特定コンテンツはコンテンツマネジャ110に配信される。コンテンツマネジャ110は、例えば、コンテンツプロバイダ、ブロードキャストサービス又は配信ネットワークサービスと提携したインターネットウェブサイトであってもよい。コンテンツマネジャ110は、インターネットコンテンツを配信システムに組み込んでもよく、或いは、ユーザのセットトップボックス/ディジタルビデオレコーダ108に未だ配信されていないコンテンツが検索されるように限定的に検索対象に明示的に組み込んでもよい。コンテンツマネジャ110は、個々の配信ネットワーク(例えば、配信ネットワーク2(112))を介してユーザのセットトップボックス/ディジタルビデオレコーダ108にコンテンツを配信してもよい。配信ネットワーク2(112)は、高速ブロードバンドインターネットタイプの通信システムを含んでもよい。ブロードキャストアフィリエイトマネジャ104からのコンテンツも配信ネットワーク2(112)の全部又は一部を用いて配信されてもよいこと、及び、コンテンツマネジャ110からのコンテンツが配信ネットワーク1(106)の全部又は一部を用いて配信されてもよいことに着目することは重要である。更に、ユーザは、コンテンツをコンテンツマネジャ110により管理してもらうことを必要とせずに、配信ネットワーク2(112)を介してインターネットから直接的にコンテンツを取得してもよい。
【００２４】
セットトップボックス/ディジタルビデオレコーダ108は、配信ネットワーク1及び配信ネットワーク2の双方又は一方からの様々なタイプのコンテンツを受信してよい。セットトップボックス/ディジタルビデオレコーダ108は、コンテンツを処理し、ユーザの好み及びコマンドに基づいてコンテンツの分離をもたらす。セットトップボックス/ディジタルビデオレコーダは、オーディオ及びビデオコンテンツの記録及び再生のためのストレージデバイス(例えば、ハードドライブ又は光ディスクドライブ)を含んでもよい。処理されるコンテンツはディスプレイデバイス(又は表示装置)114に提供される。ディスプレイデバイス114は通常の2Dタイプのディスプレイであってもよいし、或いは代替的に、進化した3Dディスプレイであってもよい。ワイヤレスフォン、無線電話機、PDA、コンピュータ、ゲームプラットフォーム、リモートコントロール、マルチメディアプレーヤ等のような表示能力を有する他のデバイスが、本願の開示による教示を組み込んでもよく、それらは本願の開示の想定の範囲内にあることが、認められるべきである。一実施形態では少なくともディスプレイデバイス114は、及び他の実施形態ではセットトップボックス/ディジタルビデオレコーダ108も、図2に関連して図示及び説明される処理システム200のようなディスプレイを有する処理システムにより置換されることが可能である。処理システム200は任意のメディア利用/表現装置を表すことが可能である。
【００２５】
図2は本願の原理が適用される本願の原理の一形態による処理システム例200を示す。処理システム200は、システムバス202を介して他のコンポーネントに動作可能に結合される少なくとも1つのプロセッサ(CPU)204を含む。キャッシュ206、リードオンリメモリ(ROM)208、ランダムアクセスメモリ(RAM)210、入力/出力(I/O)アダプタ220、サウンドアダプタ230、ネットワークアダプタ240、ユーザインタフェースアダプタ250、及び、ディスプレイアダプタ260は、システムバス202に動作可能に結合される。
【００２６】
第1ストレージデバイス222及び第2ストレージデバイス224は、I/Oアダプタ220によりシステムバス202に動作可能に結合される。ストレージデバイス222及び224は、ディスクストレージデバイス(例えば、磁気又は光ディスクストレージデバイス)及びソリッドステート磁気デバイス等のうちの何れであってもよい。ストレージデバイス222及び224は、同じタイプのストレージデバイス又は異なるタイプのストレージデバイスであるとすることが可能である。
【００２７】
スピーカ232は、サウンドアダプタ230によりシステムバス202に動作可能に結合される。
【００２８】
トランシーバ242は、ネットワークアダプタ240によりシステムバス202に動作可能に結合される。
【００２９】
第1ユーザ入力デバイス252、第2ユーザ入力デバイス254、及び、第3ユーザ入力デバイス256は、ユーザインタフェースアダプタ250によりシステムバス202に動作可能に結合される。ユーザ入力デバイス252、254及び256は、キーボード、マウス、キーパッド、画像取得デバイス、動き検出デバイス、マイクロフォン、それらのデバイスのうちの少なくとも2つの機能を組み込むデバイス等のうちの任意のものであるとすることが可能である。当然に、本願の原理の精神を維持しつつ、他のタイプの入力デバイスが使用されてもよい。ユーザ入力デバイス252、254及び256は、同じタイプのユーザ入力デバイス又は異なるタイプのユーザ入力デバイスであるとすることが可能である。ユーザ入力デバイス252、254及び256は、システム200に及びシステム200から、情報を入力及び出力するために使用される。
【００３０】
ディスプレイデバイス262は、ディスプレイアダプタ260によりシステムバス202に動作可能に結合される。
【００３１】
当然に、処理システム200は、当業者により容易に認められるように、他の要素(図示せず)を含んでもよいし、更には或る要素を省略してもよい。例えば、当業者により容易に認められるように、特定の実現手段に依存して、様々な他の入力デバイス及び/又は出力デバイスが処理システム200に含まれることが可能である。例えば、様々なタイプの無線及び/又は有線の入力及び/又は出力デバイスが使用されることが可能である。更に、当業者に容易に認められるように、追加的なプロセッサ、コントローラ、メモリ等が、様々な形態で使用されることも可能である。これら及び他の変形例の処理システム200は、本願で提供される原理の教示内容の下で、当業者により容易に認められる。
【００３２】
更に、図3に関連して以下に説明されるシステム300は、本願の原理の個々の実施形態を実現するシステムであることが、認められるべきである。処理システム200の全部又は一部は、システム300のうちの1つ以上の要素において実現されてもよい。
【００３３】
更に、処理システム200は、例えば、図4の方法400の少なくとも一部及び/又は図5の方法500の少なくとも一部を含む本願で説明される方法の少なくとも一部を実行してよいことが、認められるべきである。同様に、システム300の全部又は一部は、図4の方法400の少なくとも一部及び/又は図5の方法500の少なくとも一部を実行するように使用されてよい。
【００３４】
図3は、ユーザにメディアを推薦するための本願の原理の一形態によるシステム例300を示す。システム300は、評価選択肢マネジャ310、グルーピング評価マネジャ320、メディアレコメンデーション生成部330、ユーザプロファイルマネジャ340、及び、ディスプレイスクリーン350を含む及び/又はそれらに関わる。
【００３５】
評価選択肢マネジャ310は、ユーザにより選択可能である利用可能な評価選択肢(レーティングオプション)を管理する。従って、評価選択肢マネジャ310は、ディスプレイスクリーン上で選択可能な評価選択肢をユーザに提供する。選択可能な評価選択肢の各々は、ユーザが評価する関連するメディアアイテム間の個々のグルーピング(ある基準で集まったグループ)に対応する。これらの評価選択肢のうちの1つ以上が、ユーザにより選択されることが可能である。従って、評価選択肢マネジャ310は、選択可能な評価選択肢の中からユーザの選択の指示(指し示すもの)を受信する。
【００３６】
グルーピング評価マネジャ320は、ユーザにより選択される1つ以上の評価選択肢に対応する1つ以上のグルーピングに対して評価することをユーザに促し、1つ以上のグルーピングに対する評価をユーザから受信する。
【００３７】
メディアレコメンデーション生成部330は、評価に応じて、ユーザに対するメディアレコメンデーションを生成し、メディアレコメンデーションをユーザに提供する(例えば、表示スクリーン350で表示する)。一実施形態において、メディアレコメンデーション生成部330は、ユーザの評価に応じてメディアレコメンデーションを重み付けすることが可能である。この場合、ユーザがよりいっそう好むグルーピングが大きく重み付けされ、ユーザがさほど好まないグルーピングは小さく重み付けされる。
【００３８】
ユーザプロファイルマネジャ340は、ユーザにより提供される評価に応じて、ユーザプロファイルを生成及び/又は管理する。一実施形態において、ユーザプロファイルは、メディアレコメンデーションの生成で使用するためにメディアレコメンデーション生成部330に提供されることも可能である。
【００３９】
ディスプレイスクリーン350は図3のシステム300の一部分として示されているが、他の実施形態では、システム300は、異なるシステム又はデバイス(例えば、コンテンツ消費又はコンテンツ提示デバイス)の一部分とすることが可能なディスプレイスクリーン350と単にやり取りを行ってもよい。更に、一実施形態において、システム300の全体が、コンテンツ消費又はコンテンツ提示デバイスの一部分であってもよい。更に、他の実施形態において、システム300のうちの1つ以上の要素が、1つより多い数のコンテンツ消費又はコンテンツ提示デバイスによる使用のために分散されることが可能である。これら及び他の例の図3の要素は、本開示の精神を維持しつつ、本願によりもたらされる本原理の教示内容の下で、当業者により適宜決定される。
【００４０】
図4は、ユーザにメディアを推薦するための本願の原理の一形態によるシステム例400を示す。
【００４１】
ステップ410において、表示スクリーン上で、選択可能な評価選択肢をユーザに提供する。選択可能な評価選択肢の各々は、ユーザが将来評価する関連するメディアアイテム間の個々のグルーピングに対応している。これらの評価選択肢のうちの1つ以上がユーザにより選択されることが可能である。
【００４２】
ステップ420において、選択可能な評価選択肢の中からユーザ選択の指示を受信する。
【００４３】
ステップ430において、ユーザにより選択される1つ以上の評価選択肢に対応する1つ以上のグルーピングに対して評価するように、ユーザに促す。
【００４４】
ステップ440において、1つ以上のグルーピングに対する評価をユーザから受信する。
【００４５】
ステップ450において、評価に応じてユーザに対するメディアレコメンデーションを生成する。一実施形態において、ステップ450は、ユーザプロファイルが利用可能である場合に、評価及びユーザプロファイルに応じて、ユーザに対するメディアレコメンデーションを生成することを含むことが可能である。そのようなユーザプロファイルは、ユーザにより提供される評価に基づいて、作成され維持されると考えられてもよい。
【００４６】
ステップ460において、メディアレコメンデーションをユーザに提供する(例えば、表示スクリーンにおいて表示する)。
【００４７】
ステップ470において、評価に応じてユーザプロファイルを生成する。
【００４８】
ステップ480において、評価及び(現在利用可能な)ユーザプロファイルに応じて、ユーザに対する将来のメディアレコメンデーションを生成する。
【００４９】
図5は、本願の原理の一形態による図4の方法400のうちのステップ450を詳細に示す。
【００５０】
ステップ510において、ユーザにより選択される1つ以上の評価選択肢に対応する個々のグルーピングにより関連付けられる少なくとも2つの関連付けられるメディアアイテムをユーザが好むか否かを判断するように評価を処理する。少なくとも2つの関連付けられるメディアアイテムは、例えば、2人以上の特定の俳優、2人以上の特定の監督、特定の俳優(達)及び特定の監督(達)、メディアのジャンル及び人物(俳優/監督など)、メディアのジャンル及び国、等とすることが可能であるが、これらに限定されない。評価は2者択一(例えば、好き、嫌い)又は非2進的(例えば、1ないし10、1ないし100、AないしFのような所定の範囲を利用する方式)であるとしてもよいことが、認められるべきである。2進法的でない評価の場合、好き又は嫌いの「程度(又はレベル)」が考慮されてもよく、この点については後述する。
【００５１】
ステップ520において、少なくとも2つの関連するメディアアイテムを少なくとも含む検索を実行する。
【００５２】
ステップ530において、ユーザの評価に応じてステップ520で実行された検索の結果に対してウェイトを指定する。例えば、各自の増加する承認評価に応じてメディアレコメンデーションに対する各自のウェイトが増加し、各自の減少する承認評価に応じてメディアレコメンデーションに対する各自のウェイトが減少するように、メディアレコメンデーションが重み付けされてもよい。
【００５３】
ステップ540において、重み付けされた検索結果(すなわち、メディアレコメンデーション)をユーザに提供する(例えば、表示する)。
【００５４】
本願の原理が適用可能である例示的な評価の状況に関連して、本願の原理が更に説明される。
【００５５】
映画それ自体を評価する、或いは、監督や俳優の各自自体を評価するのではなく、本願の原理は、ロバートレッドフォード又はポールニューマンの各自自体ではなく、例えば、ロバートレッドフォード及びポールニューマンを合わせてどのように評価するか、というような複数の俳優の演技を一緒に評価することを、ユーザに許容する。この種の評価は、コンテンツ/レコメンデーションのリストを生成するために使用可能である。
【００５６】
以下は、本願の原理が適用可能である例示的な評価の状況である。評価する状況の各々は、本願の原理が適用可能である個々の例示的なグルーピングに対応する。そのような評価の状況は例示的な目的で提供されており、本願によりもたらされる本願の原理による教示内容の下で、当業者は、本願の原理の精神を維持しつつ、本願の原理が適用可能なこれら及び他の様々な評価の状況を想定し得ることが、認められるべきである。
【００５７】
第1の例示的な評価の状況は、複数の俳優が相互にどのように演じるかに関わることが可能である(俳優＆俳優)。これは特定の映画に関して実行されることが可能である。例えば、ユーザは、「スティング」(The  Sting)におけるレッドフォード及びニューマンをどの程度好きであったかを問われることが可能である。他の例として、ユーザは、「明日に向かって撃て」(Butch  Cassidy  and  the  Sundance  Kid)におけるレッドフォード及びニューマンをどの程度好きであったかを、ユーザは問われることが可能である。
【００５８】
第2の例示的な評価の状況は、俳優が監督とどのように仕事しているかに関わることが可能である(俳優＆監督)。
【００５９】
第3の例示的な評価の状況は、ある俳優が特定のジャンルでどのように演じているかに関わることが可能である。例えば、ユーザは、空想科学の映画における俳優Xをどの程度好きであったかを問われることが可能である。別の例として、ユーザは、ドラマにおける俳優Yをどの程度好きであったかを問われることが可能である。
【００６０】
第4の例示的な評価の状況は、ある俳優が特定の国に関する映画の中でどのように演じているかに関わることが可能である。例えば、ユーザは、アメリカ映画における俳優Xをどの程度好きであったかを問われることが可能である。別の例として、ユーザは、イギリス映画における俳優Yをどの程度好きであったかを問われることが可能である。
【００６１】
これらのタイプの評価は、例えばディジタルコンテンツ提供サービス(例えば、M-GO(商標)を含むが、この例に限定されない)等により使用する番組提案を生成するために使用可能である。当然に、本願の原理は、本願の原理の精神を維持しつつ、他のディジタルコンテンツサービス/システムに関連して使用されることが可能である。
【００６２】
以下、本発明による多くの付随する利点及び特徴のうちの幾つかが示され、それらのうち一部は既に言及されている。例えば、或る利点/特徴は、表示スクリーンにおいて、複数の評価選択肢を、ユーザに、その中から選択するように提供することを含む方法である。複数の評価選択肢の各々は、ユーザにより評価される少なくとも2つの関連付けられるメディアアイテム間の個々のグルーピングに対応する。本方法は、更に、複数の評価選択肢のうちユーザが選択したものに対応する少なくとも2つの関連するメディアアイテム同士の間の個々のグルーピングに対する評価を受信することを含む。本方法は、更に、評価に応じてユーザのメディアレコメンデーションを生成することを含む。本方法は、更に、表示スクリーンにおいて、ユーザにメディアレコメンデーションを提供することを含む。
【００６３】
別の利点/特徴は、上記の方法において、グルーピングが、特定のメディアコンテンツに関連する少なくとも2人の人々の間におけるものであり、前記少なくとも2人は前記特定のメディアコンテンツに関連付けられる。
【００６４】
更に別の利点/特徴は、上記の方法において、グルーピングが、特定のメディアコンテンツに関連する少なくとも2人の人々の間におけるものであり、前記少なくとも2人は上記のように関連付けられ、前記少なくとも2人の人々は俳優及び監督のうちの少なくとも何れかを含む。
【００６５】
更に別の利点/特徴は、上記の方法において、グルーピングが、特定のメディアのジャンルと、人物又は国との間におけるものである。
【００６６】
更に、他の利点/特徴は、上記の方法において、グルーピングが、人物と特定の国に関連するメディアとの間におけるものである。
【００６７】
更に、他の利点/特徴は、上記の方法において、更に、評価に応じてユーザプロファイルを生成し、そのユーザプロファイルを用いて更なるメディアレコメンデーションを生成することを含む。
【００６８】
更に、他の利点/特徴は、上記の方法において、更に、各自の増加する承認評価に応じてメディアレコメンデーションのウェイトが増加し、各自の減少する承認評価に応じてメディアレコメンデーションのウェイトが減少するように、メディアレコメンデーションに対するウェイトを指定することを含む。
【００６９】
本願の原理についての上記及び他の特徴及び利点は、本願の教示に基づいて、関連する技術分野における当業者により容易に究明される。本願の原理による教示内容は、ハードウェア、ソフトウェア、ファームウェア、特定用途プロセッサ又はそれらの組み合わせによる様々な形態で実現されてもよいことが、理解されるべきである。
【００７０】
最も好ましくは、本願の原理による教示内容は、ハードウェア及びソフトウェアの組み合わせとして実現される。更に、ソフトウェアは、プログラム保存ユニットに実際に組み込まれるアプリケーションプログラムとして実現されてもよい。アプリケーションプログラムは、適切な任意のアーキテクチャを有するマシン(又は装置)によりアップロード及び実行されてもよい。好ましくは、マシンは、1つ以上の、中央処理ユニット(CPU)、ランダムアクセスメモリ(RAM)及び入力/出力(I/O)インタフェースのようなハードウェアを有するコンピュータプラットフォームで実現される。コンピュータプラットフォームは、オペレーティングシステム及びマイクロ命令コードを含んでもよい。本願で説明される様々な処理及び機能は、マイクロ命令コードの一部、アプリケーションプログラムの一部、或いは、CPUにより実行されるそれらの任意の組み合わせであってもよい。更に、他の様々なペリフェラルユニットは、追加的なデータストレージユニット及び印刷ユニットのようなコンピュータプラットフォームに接続されてもよい。
【００７１】
添付図面に示される幾つかのシステム構成要素及び方法は、好ましくはソフトウェアで実現され、システムコンポーネント間又はプロセス機能ブロック間の実際の接続は、本願の原理がプログラムされる形態に応じて異なってよいことが、更に理解されるべきである。本願による教示内容の下で、関連する技術分野の当業者は、本願の原理によるこれら及び類似する実現手段又は構成を想定することが可能である。
【００７２】
例示の実施形態が添付図面を参照しながら説明されてきたが、本願の原理は具体的な実施形態には限定されないこと、及び、本願の原理の範囲又は精神から逸脱することなく、様々な変形及び修正が、関連する技術分野の当業者によってなされてよいことが、理解されるべきである。そのような全ての変形及び修正は、添付の特許請求の範囲において記述される本願の原理の範囲内に包含されるように意図されている。
【図１】
2016524237.tif 000003
【図２】
2016524237.tif 000004
【図３】
2016524237.tif 000005
【図４】
2016524237.tif 000006
【図５】
2016524237.tif 000007
【国際調査報告】
2016524237.tif 000008
2016524237.tif 000009